(57)【要約】【課題】カバーの揺動を安定させることのできる出入管理用受信箱を提供し、スイッチ動作の操作性，信頼性を向上させる。【解決手段】被着体の取付穴に裏板１１を固定する。一対のスイッチ３１を離間して実装した回路基板１３をパッキン１５で覆い、スイッチ３１に対応する一対の貫通穴５５を有しパッキン１５を覆うケース１７と裏板１１とで挟み固定する。一対のスイッチ３１のそれぞれの側に揺動自在となるカバー１９をケース１７に支持する。貫通穴５５に挿通したキートップ２１の基端２１ａをパッキン１５を介してスイッチ３１に当接するとともに、先端をカバー１９の背面１９ａに当接する。ケース１７に、カバー１９の揺動両側のそれぞれに対応して一対ずつスリット穴を穿設する。スリット穴を貫通した先端がカバー１９の背面１９ａに当接する二対の弾性支持片２５をパッキン１５に突設する。【選択図】  図１
2010287536.tif 000002
【特許請求の範囲】
【請求項１】
被着体の取付穴に固定される裏板と、
一対のスイッチを離間して実装した回路基板と、
前記裏板とで該回路基板を挟んで該回路基板を覆う弾性材からなるパッキンと、
前記スイッチに対応する一対の貫通穴を有し該パッキンを覆って前記裏板に固定される箱状のケースと、
前記一対のスイッチのそれぞれの側に揺動自在となって該ケースに支持されるカバーと、
前記貫通穴に挿通され基端が前記パッキンを介して前記スイッチに当接するとともに先端が前記カバーの背面に当接するキートップと、
前記ケースに、前記カバーの揺動両側のそれぞれに対応して一対ずつ穿設されたスリット穴と、
前記パッキンに突設され該スリット穴を貫通した先端が前記カバーの背面に当接する二対の弾性支持片と、
を具備したことを特徴とする出入管理用受信箱。
【請求項２】
請求項１記載の出入管理用受信箱であって、
前記一対のスイッチ間における前記ケースの両側板に内側係合部が形成され、
前記カバーの両側板に該内側係合部と回動自在に係合する外側係合部が形成されたことを特徴とする出入管理用受信箱。
【請求項３】
請求項１又は２記載の出入管理用受信箱であって、
前記パッキンには前記スイッチに対面する面の反対面に凹部が形成され、
前記キートップの基端が該凹部に嵌合されたことを特徴とする出入管理用受信箱。
【請求項４】
請求項１，２，３のいずれか１つに記載の出入管理用受信箱であって、
前記回路基板に発光素子が実装され、
前記カバー及び前記パッキンが透明材料からなり、
前記ケースには前記発光素子に対応する位置に透孔が形成されたことを特徴とする出入管理用受信箱。
【発明の詳細な説明】
【技術分野】
【０００１】
本発明は、電気錠の解錠手段である接触ＩＤキーやＦｅｌｉＣａ（登録商標）カードの読み取り装置、所謂リーダとして用いられる出入管理用受信箱に関し、特に、付設される手動用揺動スイッチの作動信頼性を高める改良技術に関する。
【背景技術】
【０００２】
電気錠の出入管理用受信箱は、扉や、開口部近傍の壁パネルや袖パネルに取り付けられ、電気錠と、操作盤等に接続される（例えば特許文献１参照）。出入管理用受信箱は、ＦｅｌｉＣａ（登録商標）カードや携帯電話等携帯情報端末に錠機能を持たせたキーモバイルシステム、タッチキー、或いはノンタッチキー等のユーザーの希望する多様なＩＤキーに対応可能であることが望ましい。さらに、これらＩＤキーと共に、手動による揺動スイッチとしての操作入力機能も有することがより望ましい。
【０００３】
ＦｅｌｉＣａ（登録商標）カードやキーモバイルシステムからの信号送受信には、アンテナ、例えばループアンテナが必要となる。このアンテナは、出入管理用受信箱の表出面積の殆どに平面スペースを有して内蔵される。また、アンテナを内蔵する受信部分は、容易に視認できるようにある程度の大きさに形成される。一方、揺動スイッチも、操作性や視認性から可能な限り押下操作面を広く確保したい。このような要請から、出入管理用受信箱には、アンテナを背部に内蔵したケース表面に、揺動自在なスイッチカバーを備えた積層構造のものが提案されている。
【先行技術文献】
【特許文献】
【０００４】
【特許文献１】特開２００７−２９６４４号公報
【発明の概要】
【発明が解決しようとする課題】
【０００５】
しかしながら、上記出入管理用受信箱に付設される揺動スイッチは、解錠と施錠とが認識しやすいように、操作部となるカバーが、標示部などを有して大面積で形成される一方、スイッチ本体が、回路基板上に実装される電子部品であることから小形であり、接点も小さく、カバーと従動部となるスイッチ本体とのバランスが悪い。特にカバーの構成が、受信箱本体に対し遊びのある組み付け構造とされ、そのため、カバーの押下位置によってはモーメントが生じ、揺動軸方向の片側のみが片寄って沈み、所謂ガタのある構造となっており、その結果、小さなスイッチ本体の作動子が正規の方向に押下作動せず、押下不良や操作感が悪くなる虞があった。また、斜めになったまま押し続ける場合など使い方によって損傷の生じやすい不具合があった。なお、単にバネ部材等を内蔵するなどの設計変更では、最も表面に位置するカバーの背面にバネ座等の成形部が必要となり、カバーが透明樹脂部材である場合、意匠性、透光性、視認性などの妨げとなるヒケやソリが発生する虞もある。
【０００６】
本発明は上記状況に鑑みてなされたもので、カバーの揺動を安定させることのできる出入管理用受信箱を提供し、もって、がたつきの無いスイッチ動作の信頼性向上を図ることを目的とする。
【課題を解決するための手段】
【０００７】
次に、上記の課題を解決するための手段を、実施の形態に対応する図面を参照して説明する。
本発明の請求項１記載の出入管理用受信箱は、被着体の取付穴に固定される裏板１１と、
一対のスイッチ３１を離間して実装した回路基板１３と、
前記裏板１１とで該回路基板１３を挟んで該回路基板１３を覆う弾性材からなるパッキン１５と、
前記スイッチ３１に対応する一対の貫通穴５５を有し該パッキン１５を覆って前記裏板１１に固定される箱状のケース１７と、
前記一対のスイッチ３１のそれぞれの側に揺動自在となって該ケース１７に支持されるカバー１９と、
前記貫通穴５５に挿通され基端２１ａが前記パッキン１５を介して前記スイッチ３１に当接するとともに先端が前記カバー１９の背面１９ａに当接するキートップ２１と、
前記ケース１７に、前記カバー１９の揺動両側のそれぞれに対応して一対ずつ穿設されたスリット穴５９と、
前記パッキン１５に突設され該スリット穴５９を貫通した先端２５ａが前記カバー１９の背面１９ａに当接する二対の弾性支持片２５と、
を具備したことを特徴とする。
【０００８】
この出入管理用受信箱では、パッキン１５に設けられた弾性支持片２５が、ケース１７のスリット穴５９を貫通してカバー１９の背面１９ａに弾性的に接触（弾接）し、カバー１９の揺動両側が後退可能、すなわち押下操作可能な状態で、背面１９ａから押圧される。これにより、カバー１９にがたつきがなくなるとともに、押下時に揺動中心軸両端のいずれか一方側に片寄って沈む傾斜が生じにくくなり、しかも、押下後の弾性復帰が確実となって、カバー１９の揺動が安定、すなわち、操作性が向上する。
【０００９】
請求項２記載の出入管理用受信箱は、請求項１記載の出入管理用受信箱であって、
前記一対のスイッチ３１間における前記ケース１７の両側板２７に内側係合部２９が形成され、
前記カバー１９の両側板６１に該内側係合部２９と回動自在に係合する外側係合部６３が形成されたことを特徴とする。
【００１０】
この出入管理用受信箱では、揺動機構の構成部が側板２７，６１に集中し、カバー１９の背面１９ａに構成部を成形せずにすむ。これにより、カバー１９の背面１９ａに揺動機構の構成部を成形した場合の成形時のヒケやソリがカバー表面に発生しにくくなる。また、特に、カバー１９を透明材料で形成し、カバー背面１９ａに照明光を導入する光透過表示構造を採用する場合、ヒケやソリの発生することに起因する表示品質の低下を防止できる。
【００１１】
請求項３記載の出入管理用受信箱は、請求項１又は２記載の出入管理用受信箱であって、
前記パッキン１５には前記スイッチ３１に対面する面４３の反対面４５に凹部４７が形成され、
前記キートップ２１の基端２１ａが該凹部４７に嵌合されたことを特徴とする。
【００１２】
この出入管理用受信箱では、カバー１９の揺動に連動して押圧されるキートップ２１が、基端２１ａを凹部４７に嵌入して保持される。これにより、凹部４７の無い場合のキートップ基端２１ａの滑りによる位置ズレを防止し、カバー押下に伴って後退するキートップ２１が正確にスイッチ３１に当たる。
【００１３】
請求項４記載の出入管理用受信箱は、請求項１，２，３のいずれか１つに記載の出入管理用受信箱であって、
前記回路基板１３に発光素子が実装され、
前記カバー１９及び前記パッキン１５が透明材料からなり、
前記ケース１７には前記発光素子に対応する位置に透孔が形成されたことを特徴とする。
【００１４】
この出入管理用受信箱では、発光素子からの光がパッキン１５を透過し、透孔を通過してカバー１９の背面１９ａに入射する。入射した光はカバー１９の表面より視認可能となる。このような光透過表示構造において、カバー１９の背面１９ａを透明の弾性支持片２５にて弾性的に支持することで、弾性を必須とする揺動復元手段をカバー表面から極力目立たなく構成できる。これにより、透明カバー表面の見栄えを低下させずにすむ。
【発明の効果】
【００１５】
本発明に係る請求項１記載の出入管理用受信箱によれば、一対のスイッチのそれぞれの側に揺動自在となるカバーをケースに支持し、ケースに穿設したスリット穴を貫通してカバーの背面に当接する二対の弾性支持片をパッキンに突設したので、回路基板上の小さな電子部品であるスイッチに対して大面積な操作部分である揺動するカバーの背面に、複数の弾性支持片が当接し、カバーのがたつきを無くし、このカバーの揺動を安定させ、操作性を向上させるとともに、スイッチ動作の信頼性を高めることができる。
【００１６】
請求項２記載の出入管理用受信箱によれば、一対のスイッチ間におけるケースの両側板に内側係合部を形成するとともに、カバーの両側板に外側係合部を形成し、これら側板に設けた内外係合部を介してカバーを揺動自在に支持するので、揺動機構の構成部が側板に集中し、カバーの背面に構成部を成形せずにすみ、成形時のヒケやソリを発生しにくくして、カバー表面の見栄えを良好にすることができる。また、カバーを透明樹脂材とした場合に、カバー背面の形状が正面から透けて見えることが無く、意匠性を良好とする。
【００１７】
請求項３記載の出入管理用受信箱によれば、パッキンにはスイッチに対面する面の反対面に凹部を形成し、この凹部にキートップの基端を嵌合するので、カバーの揺動に連動して押圧されるキートップを、凹部に保持して正確にスイッチに当てることができる。すなわち、凹部の無い場合のキートップ基端の滑りによる位置ズレを防止して、スイッチ押下動作の信頼性を高めることができる。
【００１８】
請求項４記載の出入管理用受信箱によれば、回路基板に発光素子を実装し、カバー及びパッキンを透明材料にて形成し、ケースには発光素子に対応する位置に透孔を形成したので、カバーの背面を透明の弾性支持片にて弾性的に支持することにより、透明カバー表面からの見栄えを低下させずに、カバー揺動操作に伴うスイッチ動作の信頼性を高めることができる。
【図面の簡単な説明】
【００１９】
【図１】本発明に係る出入管理用受信箱の中央縦断面図である。
【図２】カバーとケースの分解斜視図である。
【図３】図１に示した出入管理用受信箱をカバー側から見た分解斜視図である。
【図４】図１に示した出入管理用受信箱を裏板側から見た分解斜視図である。
【図５】図１のＡ−Ａ断面図である。
【図６】図１のＢ−Ｂ断面図である。
【図７】図１に示した出入管理用受信箱の弾性支持片位置での縦断面図である。
【図８】カバーの揺動状況を（ａ）（ｂ）で表した中央縦断面図である。
【図９】カバーの揺動状況を（ａ）（ｂ）で表した弾性支持片位置での縦断面図である。
【発明を実施するための形態】
【００２０】
以下、本発明の実施の形態を図面を参照して説明する。
図１は本発明に係る出入管理用受信箱の中央縦断面図である。
本実施の形態に係る出入管理用受信箱１００は、電気錠の解錠手段であるＩＤキーの読み取り装置、所謂リーダとして用いられ、特に、付設される手動用揺動スイッチの作動信頼性を高める構成に特徴を有する。ＩＤキーとしては、例えば、ＦｅｌｉＣａ（登録商標）カード、キーモバイルシステム、タッチキー、或いはノンタッチキー等が挙げられる。
【００２１】
出入管理用受信箱１００は、扉本体や開口部近傍の壁パネル，袖パネル等に取り付けられ、不図示の電気錠と、操作盤等に電気的にコネクタ接続される。出入管理用受信箱１００は、裏板１１と、回路基板１３と、パッキン１５と、ケース１７と、カバー１９と、キートップ２１と、に大別構成される。
【００２２】
図２はカバーとケースの分解斜視図である。
出入管理用受信箱１００は、裏板１１、回路基板１３、パッキン１５及びキートップ２１の組み付けられたケース１７の表面２３側に、カバー１９が揺動自在に取り付けられて組み立てられる。このケース１７の表面２３には、後に詳述するキートップ２１と、パッキン１５に突設された弾性支持片２５とが突出し、これらキートップ２１、弾性支持片２５は、弾性材からなるパッキン１５の弾性変形により後退、圧縮変形が可能となっている。
【００２３】
カバー１９は、ケース１７の両側板２７，２７に突設されたリング状に形成される内側係合部２９，２９（背部側の他方は図４参照）に揺動自在に支持される。揺動したカバー１９は、キートップ２１を押圧し、押圧されたキートップ２１はパッキン１５を介し回路基板１３上のスイッチ３１を押下することとなる。
【００２４】
図３は図１に示した出入管理用受信箱をカバー側から見た分解斜視図、図４は図１に示した出入管理用受信箱を裏板側から見た分解斜視図、図５は図１のＡ−Ａ断面図である。
扉本体や袖パネル等の被着体に形成された取付穴（不図示）に固定される裏板１１は、略矩形箱状に形成され開口周囲に鍔部３３が形成される。鍔部３３にはケース１７を固定する複数のネジ挿通穴３５が穿設される。裏板１１の底板３７には回路基板１３からの不図示のケーブルを導出する開口部３９が形成される。裏板１１は、ＳＰＣＣなどの金属板を板金加工や絞り加工して形成される。図３中、４１は接地用のネジ固定部を示す。
【００２５】
回路基板１３は、裏板１１とケース１７の間に挟持固定される。回路基板１３には一対のスイッチ３１，３１が離間して実装され、スイッチ３１は作動子３１ａ（図１参照）が押下されることで不図示の接点を閉じる。また、回路基板１３には不図示の発光素子が実装される。発光素子は、例えば上側スイッチ３１近傍の下方に上下一対設けることができる。
【００２６】
パッキン１５は、弾性材からなり、裏板１１とで回路基板１３を挟んで、回路基板１３を覆う。本実施の形態では、パッキン１５が透明な弾性材である例えばシリコンゴム等にて形成されている。パッキン１５は、回路基板１３側が開口する箱状に形成される。パッキン１５の上下面のそれぞれには、回路基板１３と反対側に先端部を鰭状に突出させる二対の弾性支持片２５が突設されている。つまり、弾性支持片２５は、上面の左右に二つ、下面の左右に二つの合計四つ設けられている。弾性支持片２５は、パッキン１５と一体に成形される。弾性支持片２５は、後述するケース１７のスリット穴５９（図６参照）を貫通し、先端部２５ａがカバー１９の背面に当接する。
【００２７】
また、パッキン１５にはスイッチ３１，３１に対面する面４３（図４参照）の反対面４５（図３参照）に凹部４７が形成される。この凹部４７には図１に示すように、キートップ２１の基端２１ａが嵌合される。
【００２８】
回路基板１３とパッキン１５との間には図４に示す矩形枠状のアンテナホルダ４９が挟持される。アンテナホルダ４９には不図示のループアンテナが装着される。アンテナホルダ４９は、回路基板１３と共にパッキン１５によって覆われる。
【００２９】
図６は図１のＢ−Ｂ断面図、図７は図１に示した出入管理用受信箱の弾性支持片位置での縦断面図である。
ケース１７は、パッキン１５を覆う矩形箱状に形成され、四隅に裏板１１のネジ挿通穴３５に挿通されたネジ３６（図６参照）の螺合する雌ネジ付固定柱５１を有する。つまり、回路基板１３、アンテナホルダ４９及びパッキン１５は、裏板１１とケース１７にて挟持固定される。ケース１７の表面２３には上下方向の略中央部に、左右方向に延在して起立する図５に示す弧状片５３が突設される。弧状片５３は、カバー背面１９ａの湾曲率と同じ曲率で弧状に形成される。弧状片５３は、カバー１９の背面１９ａに接触しても非接触であってもよく、カバー１９の押圧操作時における撓み防止、及び揺動支持部を兼ねるように働く。
【００３０】
また、ケース１７の表面２３には図３に示す一対の貫通穴５５，５５が穿設され、貫通穴５５，５５はスイッチ３１，３１に対応する。図１に示すように、この貫通穴５５にはキートップ２１が貫通する。キートップ２１は、基端２１ａの周囲に突設された鍔部５７によって貫通穴５５からカバー１９側への抜けが規制される。
【００３１】
さらに、ケース１７には、カバー１９の揺動両側（図３の上下側）のそれぞれに対応してスリット穴５９，５９が一対ずつ穿設されている。それぞれのスリット穴５９，５９，５９，５９からは、回路基板１３を覆ったパッキン１５の弾性支持片２５が突出する。突出した弾性支持片２５は、図６に示すように、先端２５ａがカバー１９の背面１９ａに当接する。
【００３２】
一対のスイッチ３１，３１間におけるケース１７の両側板２７，２７には上記の内側係合部２９，２９が形成される。ケース１７には、上記した発光素子に対応する位置に不図示の透孔が形成される。
【００３３】
キートップ２１は、貫通穴５５に挿通され、基端２１ａがパッキン１５の凹部４７を介してスイッチ３１に当接する。キートップ２１は、基端２１ａが凹部４７に嵌入した状態で、先端がカバー１９の背面１９ａに当接する。
【００３４】
カバー１９は、表面中央部が左右両側よりも突出する湾曲面で形成される。カバー１９の両側板６１，６１には、内側係合部２９，２９と回動自在に係合する外側係合部６３，６３が形成される。カバー１９は、外側係合部６３，６３を、ケース１７の内側係合部２９，２９に係合することで、一対のスイッチ３１，３１のそれぞれの側に揺動自在となってケース１７に支持される。
【００３５】
このカバー１９は、透明樹脂材、例えば透明なポリカーボネート樹脂材よりなる。本実施の形態において、カバー１９は、背面１９ａの上記透孔に対応する部分（透明窓部分）を除く範囲にシボ（乱反射用の微細凹凸）加工が施される。したがって、回路基板１３上の発光素子から出射された光は、パッキン１５を透過してケース１７の透孔を通過し、カバー１９のシボ加工のなされていない透明窓部分を透過して表側から視認可能となる。
【００３６】
次に、上記のように構成される出入管理用受信箱の作用を説明する。
図８はカバーの揺動状況を（ａ）（ｂ）で表した中央縦断面図、図９はカバーの揺動状況を（ａ）（ｂ）で表した弾性支持片位置での縦断面図である。
出入管理用受信箱１００では、裏板１１、回路基板１３、アンテナホルダ４９、パッキン１５、ケース１７及びカバー１９が組み立てられた状態で、ケース１７のスリット穴５９から突出した弾性支持片２５がカバー１９の背面１９ａに当接する。同時に、パッキン１５の凹部４７に基端２１ａを嵌入したキートップ２１も、ケース１７の貫通穴５５を貫通してカバー１９の背面１９ａに当接する。
【００３７】
図８（ａ）に示すように、カバー１９の上部側が押圧力Ｆにて押圧されると、カバー１９が内側係合部２９、外側係合部６３を介して揺動し、上側のキートップ２１が押される。上側のキートップ２１が押されると、上側の凹部４７を介して作動子３１ａが押下され、上側のスイッチ３１の接点が閉じられる。この際、上側の一対の弾性支持片２５，２５は、図９（ａ）に示すように、スリット穴５９に押し込まれる方向に弾性変形する。したがって、押圧力Ｆの印加が解除されれば、カバー１９の上部側は、弾性支持片２５，２５の弾性復元力により押し戻され、カバー１９は元の姿勢（図１に示す姿勢）に揺動復帰する。
【００３８】
また、上記とは反対に図８（ｂ）に示すように、カバー１９の下部側が押圧力Ｆにて押圧されると、カバー１９が内側係合部２９、外側係合部６３を介して揺動し、下側のキートップ２１が押される。下側のキートップ２１が押されると、下側の凹部４７を介して作動子３１ａが押下され、下側のスイッチ３１の接点が閉じられる。この際、下側の一対の弾性支持片２５，２５は、図９（ｂ）に示すように、スリット穴５９に押し込まれる方向に弾性変形する。したがって、押圧力Ｆの印加が解除されれば、カバー１９の下部側は、弾性支持片２５，２５の弾性復元力により押し戻され、カバー１９は元の姿勢（図１に示す姿勢）に揺動復帰する。
【００３９】
このように、出入管理用受信箱１００では、パッキン１５に設けられた弾性支持片２５が、ケース１７のスリット穴５９を貫通してカバー１９の背面１９ａに弾性的に接触（弾接）し、カバー１９の揺動両側が後退（押下操作）可能な状態で、背面から押圧される。これにより、カバー１９にがたつきがなくなるとともに、押下時に揺動中心軸両端のいずれか一方側に片寄って沈む傾斜が生じにくくなり、しかも、押下後の弾性復帰が確実となって、カバー１９の揺動が安定する。なお、揺動中心軸両端のいずれか一方側に片寄って沈む傾斜とは、例えばカバー１９の四隅の何れかが押圧され、カバー１９が歪むことにより発生する傾斜等を言う。
【００４０】
また、揺動機構の構成部が両側板２７，２７に集中し、カバー１９の背面１９ａに構成部を成形せずにすむ。これにより、カバー１９の背面１９ａに揺動機構の構成部を成形した場合の成形時のヒケやソリがカバー表面に発生しにくくなる。また、特に、カバー１９を透明材料で形成し、カバー背面１９ａに照明光を導入する光透過表示構造を採用する場合、ヒケやソリの発生することに起因する表示品質の低下を防止できる。このような透明材料としたカバー１９に対して、背面１９ａから当接する部材である弾性支持片２５が鰭状に形成され、またこの弾性支持片２５が貫通するケース１７の穴をスリット穴５９としたことで、カバー１９の正面側から見える形状が小さく且つ薄く細長い形状となり、目立つことなくカバー１９を支持することとなる。
【００４１】
さらに、カバー１９の揺動に連動して押圧されるキートップ２１が、基端２１ａを凹部４７に嵌入して保持される。これにより、凹部４７の無い場合のキートップ基端２１ａの滑りによる位置ズレを防止し、カバー押下に伴って後退するキートップ２１が正確にスイッチ３１に当たる。
【００４２】
また、発光素子からの光がパッキン１５を透過し、透孔を通過してカバー１９の背面１９ａに入射する。入射した光はカバー１９の表面より視認可能となる。このような光透過表示構造において、カバー１９の背面１９ａを透明の弾性支持片２５にて弾性的に支持することで、弾性を必須とする揺動復元手段をカバー表面から極力目立たなく構成できる。これにより、透明カバー表面の見栄えが低下しない構造にできる。
【００４３】
したがって、本実施の形態による出入管理用受信箱１００によれば、一対のスイッチ３１，３１のそれぞれの側に揺動自在となるカバー１９をケース１７に支持し、ケース１７に穿設したスリット穴５９を貫通してカバー１９の背面１９ａに当接する二対の弾性支持片２５，２５をパッキン１５に突設したので、揺動するカバー１９の背面１９ａに複数の弾性支持片２５，２５が当接し、カバー１９の揺動を安定させ、スイッチ動作の信頼性を高めることができる。
【００４４】
そして、一対のスイッチ３１，３１間におけるケース１７の両側板２７，２７に内側係合部２９を形成するとともに、カバー１９の両側板６１，６１に外側係合部６３を形成し、これら側板に設けた内外係合部２９，６３を介してカバー１９を揺動自在に支持するので、揺動機構の構成部が側板に集中し、カバー１９の背面１９ａに構成部を成形せずにすみ、成形時のヒケやソリを発生しにくくして、カバー表面の見栄えを良好にすることができる。
【００４５】
また、パッキン１５にはスイッチ３１に対面する面４３の反対面４５に凹部４７を形成し、この凹部４７にキートップ２１の基端２１ａを嵌合するので、カバー１９の揺動に連動して押圧されるキートップ２１を、凹部４７に保持して正確にスイッチ３１に当てることができる。すなわち、凹部４７の無い場合のキートップ基端２１ａの滑りによる位置ズレを防止して、スイッチ押下動作の信頼性を高めることができる。
【００４６】
さらに、回路基板１３に発光素子を実装し、カバー１９及びパッキン１５を透明材料にて形成し、ケース１７には発光素子に対応する位置に透孔を形成したので、カバー１９の背面１９ａを透明の弾性支持片にて弾性的に支持することにより、透明カバー表面からの見栄えを低下させずに、カバー揺動操作に伴うスイッチ動作の信頼性を高めることができる。
【符号の説明】
【００４７】
１１…裏板
１３…回路基板
１５…パッキン
１７…ケース
１９…カバー
１９ａ…カバーの背面
２１…キートップ
２１ａ…基端
２５…弾性支持片
２５ａ…スリット穴を貫通した先端
２７…ケースの両側板
２９…内側係合部
３１…スイッチ
４３…スイッチに対面する面
４５…反対面
４７…凹部
５５…貫通穴
５９…スリット穴
６１…カバーの両側板
６３…外側係合部
１００…出入管理用受信箱
【図１】
2010287536.tif 000003
【図２】
2010287536.tif 000004
【図３】
2010287536.tif 000005
【図４】
2010287536.tif 000006
【図５】
2010287536.tif 000007
【図６】
2010287536.tif 000008
【図７】
2010287536.tif 000009
【図８】
2010287536.tif 000010
【図９】
2010287536.tif 000011